(57)【要約】【課題】灯具から照射される照明光を光の絵筆として用いて曲線状の照明光が描かれた照明空間を実現することができるレンズユニット等を提供する。【解決手段】灯具２に取り付けられるレンズユニット１であって、スプレッドレンズ１１と、スプレッドレンズ１１を回転させる回転機構とを備え、スプレッドレンズ１１の光軸を法線とする平面に平行な軸を第１の軸とし、その平面に平行で且つ第１の軸に直交する軸を第２の軸とすると、スプレッドレンズ１１は、第１の軸を短軸とし、第２の軸を長軸として、灯具２から出射する光を長尺状に配光し、回転機構は、第１の軸を回転軸としてスプレッドレンズ１１を回転させる。【選択図】図１
2018125195.tif 000002
【特許請求の範囲】
【請求項１】
灯具に取り付けられるレンズユニットであって、
スプレッドレンズと、
前記スプレッドレンズを回転させる回転機構とを備え、
前記スプレッドレンズの光軸を法線とする平面に平行な軸を第１の軸とし、前記平面に平行で且つ前記第１の軸に直交する軸を第２の軸とすると、
前記スプレッドレンズは、前記第１の軸を短軸とし、前記第２の軸を長軸として、前記灯具から出射する光を長尺状に配光し、
前記回転機構は、前記第２の軸を回転軸として前記スプレッドレンズを回転させる、
レンズユニット。
【請求項２】
回転させた状態の前記スプレッドレンズの姿勢を保持させる保持機構を備える、
請求項１に記載のレンズユニット。
【請求項３】
前記レンズユニットを前記灯具に取り付けるための枠状の取付枠を備える、
請求項１又は２に記載のレンズユニット。
【請求項４】
前記灯具から遠ざかる方向に突出するように前記取付枠に設けられ、前記スプレッドレンズを支持する支持体を備え、
前記支持体は、前記スプレッドレンズの回転と干渉しない形状を有する、
請求項１〜３のいずれか１項に記載のレンズユニット。
【請求項５】
前記支持体は、前記スプレッドレンズを挟むように一対設けられ、
前記スプレッドレンズは、前記一対の支持体に軸支されて回転可能となっており、
前記スプレッドレンズは、円板状であり、
側面視において、前記一対の支持体の各々の内形は、円弧状である、
請求項４に記載のレンズユニット。
【請求項６】
前記スプレッドレンズは、複数のマイクロレンズによって構成されている、
請求項１〜５のいずれか１項に記載のレンズユニット。
【請求項７】
請求項１〜６のいずれか１項に記載のレンズユニットと、
前記レンズユニットが取り付けられる灯具とを備える、
照明器具。
【請求項８】
前記灯具は、光源と、前記光源の前方に配置された狭角レンズとを有する、
請求項７に記載の照明器具。
【請求項９】
請求項７又は８に記載の照明器具を複数有する、
照明システム。
【請求項１０】
前記複数の照明器具は、前記複数の照明器具の各々の前記スプレッドレンズからの照明光が連続的につながるように配置されている、
請求項９に記載の照明システム。
【発明の詳細な説明】
【技術分野】
【０００１】
本発明は、レンズユニット、レンズユニットを備える照明器具、及び、この照明器具を複数有する照明システムに関する。
【背景技術】
【０００２】
従来から、集客等を目的とした照明演出が行われている。例えば、ショーウィンドウにおける商品展示又はイベント施設における舞台演出等では、照明光を被照射物体に照射することによって展示物等の印象を強める照明演出が行われている。また、ホテル、美術館又は商業施設等では、メリハリのある照明光を照射することによって建築構造物等を際立たせる照明演出が行われている。
【０００３】
このような照明空間における照明演出は、例えば、スポットライト又はダウンライト等の照明器具を用いて行うことができる（例えば特許文献１）。
【先行技術文献】
【特許文献】
【０００４】
【特許文献１】特開２０１３−０１０１０３号公報
【発明の概要】
【発明が解決しようとする課題】
【０００５】
近年、湾曲状又は波型状などの曲線を用いた建築構造物にフィッティングさせて照明光を照射させたいという要望がある。このような要望に応えるべく、照明デザイナーによって湾曲した照射領域となるような照明空間が提案されてはいるものの、これまでの照明器具では、照明デザイナーが描くような照明空間を実際に実現することが難しい。また、仮にそのような照明空間を実現できる照明器具が存在したとしても、特定の建築構造物にしか使用できない専用の照明器具であり、汎用性に欠けるという課題がある。
【０００６】
本発明は、このような課題に鑑みてなされたものであり、灯具から照射される照明光を光の絵筆として用いて、照明光による照射領域を湾曲状にしたり直線状にしたり変化させることができるレンズユニット等を提供することを目的とする。
【課題を解決するための手段】
【０００７】
上記目的を達成するために、本発明に係るレンズユニットの一態様は、灯具に取り付けられるレンズユニットであって、スプレッドレンズと、前記スプレッドレンズを回転させる回転機構とを備え、前記スプレッドレンズの光軸を法線とする平面に平行な軸を第１の軸とし、前記平面に平行で且つ前記第１の軸に直交する軸を第２の軸とすると、前記スプレッドレンズは、前記第１の軸を短軸とし、前記第２の軸を長軸として、前記灯具から出射する光を長尺状に配光し、前記回転機構は、前記第２の軸を回転軸として前記スプレッドレンズを回転させるものである。
【０００８】
また、本発明に係る照明器具の一態様は、上記のレンズユニットと、前記レンズユニットが取り付けられる灯具とを備える。
【０００９】
また、本発明に係る照明システムの一態様は、上記の照明器具を複数有する。
【発明の効果】
【００１０】
本発明によれば、灯具から照射される照明光を光の絵筆として用いて、照明光による照射領域を湾曲状にしたり直線状にしたり変化させることができる。
【図面の簡単な説明】
【００１１】
【図１】実施の形態に係るレンズユニット及び灯具の外観を示す斜視図である。
【図２】実施の形態に係るレンズユニット及び灯具の断面図である。
【図３】実施の形態に係るレンズユニットの斜視図である。
【図４】実施の形態に係るレンズユニットの斜視図である。
【図５】実施の形態に係るレンズユニットの断面図である。
【図６】実施の形態に係るレンズユニットの側面図である。
【図７】実施の形態に係るレンズユニットのレンズ作用を説明するための図である。
【図８】実施の形態に係るレンズユニットにおいて、スプレッドレンズを回転させたときの照明光の照射形状の変化を示す図である。
【図９】実施の形態に係る照明器具の断面図である。
【図１０】実施の形態に係る照明器具の第１の使用例を説明するための図である。
【図１１】実施の形態に係る照明器具の第２の使用例を説明するための図である。
【図１２】実施の形態に係る照明システムにおける照明光の照射形状を示す図である。
【図１３】変形例１に係るレンズユニットの側面図である。
【図１４】変形例１に係る照明器具を示す図である。
【図１５】変形例２に係る照明器具を示す図である。
【図１６】変形例３に係る照明設備を示す図である。
【発明を実施するための形態】
【００１２】
以下、本発明の実施の形態について、図面を参照しながら説明する。なお、以下で説明する実施の形態は、いずれも本発明の好ましい一具体例を示すものである。したがって、以下の実施の形態で示される、数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１３】
各図は、模式図であり、必ずしも厳密に図示されたものではない。各図において、実質的に同一の構成に対しては同一の符号を付しており、重複する説明は省略又は簡略化される場合がある。
【００１４】
また、本明細書及び図面において、Ｘ軸、Ｙ軸及びＺ軸は、三次元直交座標系の三軸を表しており、本実施の形態ではＺ軸方向を鉛直方向とし、Ｘ軸及びＹ軸は、互いに直交し、且つ、いずれもＺ軸に直交する軸である。
【００１５】
（実施の形態）
まず、実施の形態に係るレンズユニット１及び灯具２について、図１及び図２を用いて説明する。図１は、実施の形態に係るレンズユニット１及び灯具２の外観を示す斜視図である。図２は、実施の形態に係るレンズユニット１及び灯具２の断面図である。
【００１６】
図１及び図２に示すように、レンズユニット１は、灯具２に取り付けられる。具体的には、レンズユニット１は、灯具２から照射される光が入射する位置に取り付けられる。
【００１７】
レンズユニット１は、灯具２から照射される光の配光を変化させるスプレッドレンズ１１と、レンズユニット１を灯具２に取り付けるための枠状の取付枠１２と、スプレッドレンズ１１を支持する支持体１３とを備える。レンズユニット１は、取付枠１２によって灯具２に取り付けられている。レンズユニット１の詳細な構成は、後述する。
【００１８】
灯具２は、照明光を照射する光源２１と、光源２１の前方に配置された狭角レンズ２２と、光源２１が配置される基台２３と、光源２１を囲む筒体２４とを備える。
【００１９】
光源２１は、例えばＬＥＤを有するＬＥＤ光源である。本実施の形態において、光源２１は、白色光を放出する白色ＬＥＤ光源であるが、光源２１の光色は、白色光に限定されるものではなく、有色光であってもよい。
【００２０】
一例として、光源２１は、ＣＯＢ（Ｃｈｉｐ  Ｏｎ  Ｂｏａｒｄ）構造のＬＥＤ光源であり、基板と、基板に実装された１つ又は複数のＬＥＤチップと、ＬＥＤチップを封止する封止部材とを有する。封止部材には、ＬＥＤチップの光を波長変換する蛍光体等の波長変換材料が含まれている。一例として、ＬＥＤチップは青色光を発する青色ＬＥＤチップであり、封止部材は、黄色蛍光体を含むシリコーン樹脂である。なお、封止部材には、黄色蛍光体以外に赤色蛍光体及び緑色蛍光体が含まれていてもよい。このように構成される光源２１は、ホルダ等の取付部材又はねじ等によって基台２３に取り付けられる。
【００２１】
また、光源２１は、リード線等によって電源装置（不図示）と電気的に接続されている。電源装置は、例えば商用電源等の外部電源からの交流電力を、整流、平滑及び降圧等して所定レベルの直流電力に変換し、リード線を介して当該直流電力を光源２１に供給する。これにより、光源２１の発光部が発光し、照明光が照射される。
【００２２】
狭角レンズ２２は、画角が狭いレンズであり、光源２１から照射された光の拡がりを抑えて集光するレンズ作用を有する。狭角レンズ２２の画角は、例えば０°から１０°以下である。本実施の形態では、画角が８°の狭角レンズ２２を用いている。なお、狭角レンズ２２は、例えば、透明樹脂材料又はガラス材料等によって構成されている。
【００２３】
狭角レンズ２２は、筒体２４の前方側の開口端部に取り付けられている。本実施の形態において、狭角レンズ２２は、レンズユニット１の取付枠１２に囲まれる位置に配置されている。
【００２４】
基台２３は、光源を取り付けるための取付台である。また、基台２３は、光源２１で発生する熱を放熱するヒートシンクとしても機能する。したがって、基台２３は、アルミニウム等の金属材料又は高熱伝導樹脂等の熱伝導率の高い材料によって形成されているとよい。基台２３は、例えば略円柱状である。なお、基台２３には、光源２１と電源装置とを接続するリード線が挿通される貫通孔が形成されている。
【００２５】
筒体２４は、例えば鏡筒である。筒体２４には狭角レンズ２２が取り付けられる。具体的には、狭角レンズ２２は、取付部材２４ａを介して筒体２４の前方側の開口端部に取り付けられている。
【００２６】
筒体２４は、基台２３に固定される。具体的には、筒体２４は、筒体２４の後方側の開口端部が基台２３の前方端部に設けられた段差部に嵌合することで、基台２３に固定されている。したがって、筒体２４の外形は、基台２３の外形と同じであるとよい。本実施の形態において、基台２３は略円柱状であるので、筒体２４は、両端部に開口部を有する略円筒状である。なお、筒体２４は、基台２３と同様に、アルミニウム等の金属材料又は高熱伝導樹脂等の熱伝導率の高い材料によって形成されているとよい。
【００２７】
次に、レンズユニット１の詳細な構成について、図１及び図２を参照しつつ、図３〜図６を用いて説明する。図３及び図４は、実施の形態に係るレンズユニット１の斜視図である。図５は、同レンズユニット１の断面図である。図６は、同レンズユニット１の側面図である。なお、図３では、スプレッドレンズ１１を回転させていないときの状態を示しており、図４は、スプレッドレンズ１１を回転させているときの状態を示している。
【００２８】
なお、本実施の形態では、スプレッドレンズ１１の光軸（中心軸）をＺ軸とし、Ｚ軸を法線とする平面（ＸＹ平面）に平行な軸である第１の軸をＸ軸をとし、Ｚ軸を法線とする平面に平行で且つ第１の軸に直交する軸である第２の軸をＹ軸としている。
【００２９】
図３〜図６に示すように、レンズユニット１は、スプレッドレンズ１１と、取付枠１２と、支持体１３とを備える。
【００３０】
スプレッドレンズ１１は、灯具２から照射される光の縦横比を変化させるレンズ作用を有する。スプレッドレンズ１１は、第１の軸（本実施の形態ではＸ軸）を短軸とし、第１の軸に直交する第２の軸（本実施の形態ではＹ軸）を長軸として、灯具２から出射する光を長尺状に配光するレンズ作用を有する。例えば、スプレッドレンズ１１は、灯具２から出射する円形の光を長尺状の楕円形に配光する。
【００３１】
本実施の形態において、スプレッドレンズ１１は、狭角レンズ２２の前方に配置されている。したがって、スプレッドレンズ１１は、狭角レンズ２２から出射した円形の光を長尺状に配光する。
【００３２】
また、本実施の形態におけるスプレッドレンズ１１は、微細スプレッドレンズであり、図２に示すように、複数のマイクロレンズ１１ａによって構成されている。複数のマイクロレンズ１１ａの各々は、長手方向をＸ軸方向とするシリンドリカル状であり、Ｙ軸方向に沿って隣接して配列されている。マイクロレンズ１１ａの幅は、マイクロオーダサイズであり、一例として、２４０μｍである。
【００３３】
スプレッドレンズ１１は、例えば透明樹脂材料又はガラス材料によって形成されている。この場合、複数のマイクロレンズ１１ａは、例えばレーザ加工によって形成することができる。
【００３４】
本実施の形態において、スプレッドレンズ１１は、円板状である。つまり、スプレッドレンズ１１の平面視形状は円形である。また、スプレッドレンズ１１は、支持体１３に対して回転可能に支持体１３支持されている。具体的には、スプレッドレンズ１１は、外周端部がリング状枠体に保持されて支持体１３に支持されている。なお、スプレッドレンズ１１は、リジッド状であるが、フレキシブル性を有するフィルタ状（スプレッドフィルタ）であってもよい。
【００３５】
取付枠１２は、灯具２に取り付けられる。具体的には、図１及び図２に示すように、取付枠１２は、灯具２の筒体２４の前方端部に取り付けられている。本実施の形態において、取付枠１２は、円環状の枠体である。取付枠１２の外径は、筒体２４の外径と同じであるが、これに限らない。
【００３６】
図１及び図２に示すように、支持体１３は、灯具２から遠ざかる方向に突出するように取付枠１２に設けられている。具体的には、支持体１３は、取付枠１２の枠面に対して法線方向に立設している。
【００３７】
また、図３及び図４に示すように、支持体１３は、スプレッドレンズ１１を挟むように一対設けられている。一対の支持体１３は、対向するように取付枠１２に設けられている。つまり、一対の支持体１３は、１８０度間隔で取付枠１２に設けられている。
【００３８】
このように構成されるレンズユニット１は、スプレッドレンズ１１を回転させる回転機構を備えている。図６に示すように、回転機構は、第２の軸（Ｙ軸）を回転軸としてスプレッドレンズ１１を回転させる。この回転機構は、例えばスプレッドレンズ１１と一対の支持体１３との連結部分に設けられている。例えば、スプレッドレンズ１１は、一対の支持体１３に軸支されて回転可能となっている。
【００３９】
一例として、スプレッドレンズ１１と狭角レンズ２２とが平行な状態（図２、図３の状態）にある場合をスプレッドレンズ１１の回転角度が０°であるとすると、スプレッドレンズ１１は、図６に示すように、右回りに最大で４５°の回転角度で回転することができ、また、左回りに最大で４５°の回転角度で回転することができる。なお、スプレッドレンズ１１の最大の回転角度及び回転範囲は、これに限定されるものではない。例えば、スプレッドレンズ１１が無限回転する構造であってもよい。
【００４０】
そして、本実施の形態におけるレンズユニット１では、スプレッドレンズ１１を回転させることによって、スプレッドレンズ１１から出射する照明光の照射形状を変化させることができる。具体的には、スプレッドレンズ１１を回転させることによって、スプレッドレンズ１１から出射する照明光の形状を湾曲状にしたり直線状にしたり変化させることができる。この結果、スプレッドレンズ１１から出射する照明光によって照射された照射面（例えば床面又は壁面等の平面）における照射領域の形状が湾曲状に変化したり直線状に変化したりする。
【００４１】
一例として、スプレッドレンズ１１を回転させることによって、照明光（照射領域）の形状を帯状の直線状から帯状の湾曲状に変化させることができる。この場合、例えば、レンズユニット１及び灯具２は、スプレッドレンズ１１を右回り又は左回りに４５°回転させたときに曲率半径Ｒが約２０００ｍｍで湾曲するように設定することができる。
【００４２】
また、本実施の形態において、支持体１３は、スプレッドレンズ１１の回転と干渉しない形状を有する。つまり、スプレッドレンズ１１が回転しても、スプレッドレンズ１１と支持体１３とは接触しない。具体的には、スプレッドレンズ１１が円板状であるので、一対の支持体１３の各々の内形（相対する部分の形状）は、側面視において円弧状となっている。これにより、スプレッドレンズ１１を支持体１３に支持しつつ自由に回転させることができる。
【００４３】
また、レンズユニット１は、回転させた状態のスプレッドレンズ１１の姿勢を保持させる保持機構を備える。つまり、スプレッドレンズ１１を任意の位置まで回転させたときに、スプレッドレンズ１１が、その回転させたときの姿勢で維持するように構成されている。保持機構としては、例えば、図１〜図４に示すように、回転させた状態のスプレッドレンズ１１の姿勢をビス１３ａによる締め付けトルクによって保持させるトルク調整機構を用いることができる。トルク調整機構によって締め付けトルクを調整してスプレッドレンズ１１の回転に要するトルクを調整することで、スプレッドレンズ１１を支持体１３に対して所定のトルクによって回転可能としつつ、かつ、スプレッドレンズ１１を任意の回転角度で安定的した姿勢で維持させることができる。なお、締め付けトルクは、ビス１３ａに限らず、鋼線バネ、又は、ボルトとナット等を用いて与えてもよい。
【００４４】
次に、実施の形態に係るレンズユニット１のレンズ作用について、図７を用いて説明する。図７は、実施の形態に係るレンズユニット１のレンズ作用を説明するための図である。図７の（ａ）〜（ｃ）の右側には、回転角度が０°のときのスプレッドレンズ１１から出射する照明光１０の照射形状（つまり照明光１０で照射されたときの照射面での照射領域の形状）を模式的に示している。
【００４５】
図７（ａ）に示すように、レンズユニット１を用いない場合、光源２１から出射する照明光１０の照射形状は円形となる。
【００４６】
また、図７（ｂ）では、図７（ａ）において、光源２１の前方にレンズユニット１が配置されている。この場合、光源２１から出射した照明光１０は、スプレッドレンズ１１のレンズ作用を受けて楕円状に配光される。これにより、スプレッドレンズ１１から出射する照明光１０の照射形状は楕円状になる。
【００４７】
また、図７（ｃ）では、図７（ｂ）において、光源２１とレンズユニット１との間に狭角レンズ２２が配置されている。つまり、光源２１とスプレッドレンズ１１との間に狭角レンズ２２が配置されている。この場合、光源２１から出射した照明光は、狭角レンズ２２によって集光されてスプレッドレンズ１１に入射する。スプレッドレンズ１１に入射した光は、スプレッドレンズ１１のレンズ作用を受けて楕円状に配光される。
【００４８】
このように、狭角レンズ２２で光源２１の光を一旦集光して指向性を強めることで、スプレッドレンズ１１から出射する照明光１０の照射形状は、図７（ｂ）のときの照射形状と比べてアスペクト比が大きい楕円状になる。つまり、レンズユニット１から出射した照明光１０は、長尺状の照射形状となる。なお、狭角レンズ２２の画角を小さくすることで、スプレッドレンズ１１から照射される照明光１０の照射形状を帯状にすることも可能となる。
【００４９】
次に、実施の形態に係るレンズユニット１のスプレッドレンズ１１を回転させたときの照明光１０の照射形状の変化について、図８を用いて説明する。図８は、実施の形態に係るレンズユニット１において、スプレッドレンズ１１を回転させたときの照明光１０の照射形状（つまり照明光１０で照射されたときの照射面での照射領域の形状）の変化を示す図である。なお、図８では、スプレッドレンズ１１としては、マイクロレンズ１１ａ（２４０μｍ）からなる微細スプレッドレンズを用いており、図７（ｃ）と同様に、狭角レンズ２２（画角８°）を用いたときの照明光１０の照射形状を示している。
【００５０】
図８の（ａ）及び（ｂ）に示すように、レンズユニット１のスプレッドレンズ１１を回転させることで、長尺状の照明光１０の照射形状を変化させることができる。
【００５１】
具体的には、図８（ａ）に示すように、スプレッドレンズ１１を回転させていない場合、照明光１０は直線状の帯状であるが、スプレッドレンズ１１を左回りに４５°回転させると、長尺状の帯状の照明光１０は、長手方向の中央部がそのままで、長手方向の両端部が左側に移動するように弓なりに変化して、円弧状に湾曲した帯状の照明光１０となる。このとき、湾曲した照明光１０の曲率半径Ｒは、約１７５０ｍｍであった。
【００５２】
一方、図８（ｂ）に示すように、スプレッドレンズ１１を右回りに４５°回転させると、長尺状の照明光１０は、長手方向の中央部がそのままで、長手方向の両端部が右側に移動するように逆弓なりに変化して、円弧状に湾曲した帯状の照明光１０となる。つまり、図８（ｂ）の場合は、図８（ａ）の場合とは逆方向に照明光１０が湾曲する。このとき、湾曲した照明光１０の曲率半径Ｒは、１７５０ｍｍであった。
【００５３】
また、図示しないが、スプレッドレンズ１１の回転角度を調整することで、スプレッドレンズ１１から照射される長尺状の照明光１０の湾曲状態を変化させることができる。つまり、スプレッドレンズ１１の回転角度を調整することで、スプレッドレンズ１１の回転角度に連動した任意の曲率半径となるように、スプレッドレンズ１１から照射される長尺状の照明光１０の湾曲状態を変化させることができる。例えば、０°〜４５°の範囲内の回転角度で右回り又は左回りに回転させた場合、長尺状の照明光１０の曲率半径Ｒを無限大（直線）から１７５０ｍｍの範囲内で変化させることができる。
【００５４】
以上説明したように、本実施の形態におけるレンズユニット１は、第１の軸（Ｘ軸）を短軸とし且つ第１の軸と直交する第２の軸（Ｙ軸）を長軸として灯具２から出射する光を長尺状に配光するスプレッドレンズ１１と、第２の軸を回転軸としてスプレッドレンズ１１を回転させる回転機構とを備えている。
【００５５】
この構成により、スプレッドレンズ１１を回転させることによって、スプレッドレンズ１１により長尺状に配光された灯具２からの照明光の照射形状を湾曲状にしたり直線状にしたり変化させることが可能となる。つまり、スプレッドレンズ１１から出射する照明光による照射領域を湾曲状にしたり直線状にしたり変化させることができる。
【００５６】
このとき、スプレッドレンズ１１の回転角度を調整することで、スプレッドレンズ１１から出射する長尺状の照明光の曲率半径を変化させることができる。つまり、スプレッドレンズ１１の回転角度に連動した任意の曲率半径となるように、スプレッドレンズ１１から出射する照明光の照射形状の湾曲状態を変化させることができる。したがって、スプレッドレンズ１１の回転角度を調整することで、照明演出を行う現場での様々な部位の建築カーブに合わせて照明光の照射形状の湾曲状態を調整することができ、自由度のある照明プランを容易に実現することができる。
【００５７】
このように、本実施の形態におけるレンズユニット１を用いることによって、灯具２から照射される照明光を光の絵筆として用いて、照明光による照射領域を湾曲状にしたり直線状にしたり変化させることができる。これにより、種々の曲線状の照射領域で描かれた照明空間を実現することができる。
【００５８】
しかも、１つのレンズユニット１で照射領域を湾曲状にしたり直線状にしたり変化させることができるので、異なる建築カーブを有する種々の建築構造物に適用することができる。これにより、汎用性の高い照明器具等を実現することもできる。
【００５９】
また、本実施の形態におけるレンズユニット１では、スプレッドレンズ１１が複数のマイクロレンズ１１ａによって構成されている。
【００６０】
これにより、スプレッドレンズ１１から出射する長尺状の照明光によって照射された照明領域について、当該照明領域の長手方向の両端部に縞模様が発生することを抑制することができる。
【００６１】
また、本実施の形態におけるレンズユニット１では、光源２１とスプレッドレンズ１１との間に狭角レンズ２２が配置されている。
【００６２】
これにより、光源２１から照射された光は狭角レンズ２２によって一旦集光されて指向性が強まるので、スプレッドレンズ１１から出射する照明光の照射形状を容易に長尺状にすることができる。したがって、スプレッドレンズ１１の回転角度を調整することで、湾曲した弓なりした照射形状の照明光を容易に実現することができる。
【００６３】
次に、実施の形態に係る照明器具１００の一例について、図９を用いて説明する。図９は、実施の形態に係る照明器具１００の断面図である。
【００６４】
照明器具１００は、例えば住宅等の建物における天井２００の開口部に埋め込み配設されることにより下方（床面や地面、壁面等）に光を照明するダウンライトである。
【００６５】
図９に示すように、照明器具１００は、灯具２Ａと、灯具２に取り付けられたレンズユニット１と、筐体３と、枠体４と、透光パネル５とを備える。
【００６６】
灯具２Ａは、光源２１と、狭角レンズ２２と、基台２３Ａと、筒体２４とを備える。図９に示すように、基台２３Ａは、器具本体であり、図２に示される基台２３と異なる形状である。具体的には、基台２３Ａは、図２に示される基台２３に対して、さらに放熱フィンを有する。これにより、光源２１で発生する熱を効率よく放熱させることができる。
【００６７】
筐体３は、レンズユニット１、枠体４及び透光パネル５を収納する。本実施の形態では、筐体３は、灯具２Ａの一部も収納している。筐体３は光出射側に開口部を有する。筐体３は、例えばアルミニウム等の金属材料によって構成されている。なお、図示しないが、筐体３の外周面には、照明器具１００を天井２００の開口部に取り付けるための複数の板バネが取り付けられている。
【００６８】
枠体４は、枠状の部材である。本実施の形態において、枠体４は、灯具２から漏れた光を反射して透光パネル５に導く補助反射板である。枠体４は、例えばアルミニウム等の金属材料又は白色樹脂材料によって構成することができる。
【００６９】
透光パネル５は、レンズユニット１（スプレッドレンズ１１）から出射した光を透過する。透光パネル５は、筐体３の光出射側の開口部に設けられている。透光パネル５は、アクリル樹脂又はポリカーボネート樹脂等の透明樹脂材料又はガラス材料によって構成された板状の透明板である。
【００７０】
このように構成される照明器具１００では、スプレッドレンズ１１を回転させることによって、スプレッドレンズ１１により長尺状に配光された灯具２からの照明光の照射形状を湾曲状に変化させることができる。つまり、スプレッドレンズ１１の回転角度に連動した任意の曲率半径で湾曲した長尺状の照明光で照射領域を照射することができる照明器具１００を実現できる。
【００７１】
また、照明器具１００から照射される長尺状の照明光によって照射された照射領域の輪郭をぼかしたい場合は、透光パネル５に光拡散機能を持たせてもよい。逆に、照明器具１００から照射される長尺状の照明光によって照射された照射領域の輪郭を際立たせたいような場合は、透光パネル５に光拡散機能をもたせずに、透光パネル５は透明である方がよい。この場合、枠体４としてグレアレスタイプの枠体を用いることで、照射領域の輪郭を際立たせる効果が失われてしまうことを抑制できる。
【００７２】
次に、図１０及び図１１を用いて、実施の形態に係る照明器具１００の使用例を説明する。図１０は、実施の形態に係る照明器具１００の第１の使用例を説明するための図である。図１１は、実施の形態に係る照明器具１００の第２の使用例を説明するための図である。なお、図１０及び図１１において、照明器具１００は図示していない。
【００７３】
図１０に示すように、照明器具１００を用いることによって、湾曲状又は波型状などの曲線を用いた建築構造物にフィッティングさせて照明光１０を照射することができる。これにより、建築構造物の曲線形状（建築カーブ）に沿わせてメリハリのある照明光１０で照明演出を行うことができる。
【００７４】
また、図１１に示すように、照明器具１００を用いることによって、ラウンドした形状のカウンター又は机に対して、そのラウンドした形状にフィッティングさせて照明光１０を照射することができる。これにより、ラウンドした形状のカウンターに複数の商品が湾曲状に陳列されている場合であっても、陳列された複数の商品を一台の照明器具で同時に際立たせる照明演出を行うことができる。なお、図１１では、二台の照明器具を用いている。
【００７５】
次に、実施の形態に係る照明システムについて、図１２を用いて説明する。図１２は、実施の形態に係る照明システムにおける照明光１０の照射形状を示す図である。
【００７６】
図１２に示すように、本実施の形態に係る照明システムは、照明器具１００を複数有する。照明器具１００は、例えば、室内の天井に配置される。この場合、複数の照明器具１００は、複数の照明器具１００の各々のスプレッドレンズ１１（不図示）から出射する照明光１０が連続的につながるように配置されているとよい。
【００７７】
これにより、図１２に示すような波状の照射領域を実現したり、円形の照射領域を実現したり、照射形状が湾曲状の複数の照明光１０を任意に組み合わせた形状の照射領域を実現したりすることができる。なお、図１２では、４つの照明器具１００を天井に設置して、各照明器具１００から照射された４つの湾曲状の照明光１０によって床面を照射して、各照明光１０による照射領域を繋げることで連続した波型の照射領域を描いた例を示している。
【００７８】
（変形例）
以上、本発明に係るレンズユニット等について、実施の形態に基づいて説明したが、本発明は、上記実施の形態に限定されるものではない。
【００７９】
例えば、上記実施の形態において、スプレッドレンズ１１は、円板状としたが、これに限らない。スプレッドレンズ１１は、回転できる形状であれば、平面視形状が四角形又は八角形等の多角形である板状であってもよいし、その他の任意の形状を採用することができる。
【００８０】
また、上記実施の形態において、光源２１は、基板にＬＥＤチップを直接実装したＣＯＢ構造のＬＥＤモジュールとしたが、これに限らない。例えば、ＣＯＢ構造のＬＥＤモジュールに代えて、ＳＭＤ（Ｓｕｒｆａｃｅ  Ｍｏｕｎｔ  Ｄｅｖｉｃｅ）構造のＬＥＤモジュールを用いても構わない。ＳＭＤ構造のＬＥＤモジュールは、樹脂製のパッケージ（容器）の凹部の中にＬＥＤチップ（発光素子）を実装して当該凹部内に封止部材（蛍光体含有樹脂）を封入したパッケージ型のＬＥＤ素子（ＳＭＤ型ＬＥＤ素子）を発光部として用いて、これを１個又は複数個、基板に実装した構成である。
【００８１】
また、上記実施の形態では、光源２１には、ＬＥＤを用いたが、これに限らない。例えば、光源２１は、半導体レーザ等の半導体発光素子、又は、有機ＥＬ（Ｅｌｅｃｔｒｏ  Ｌｕｍｉｎｅｓｃｅｎｃｅ）や無機ＥＬ等、ＬＥＤ以外の固体発光素子を用いたものであってもよいし、蛍光ランプや高輝度ランプ等の既存のランプを用いたものであってもよい。
【００８２】
また、上記実施の形態におけるレンズユニット１及び照明器具は、スプレッドレンズ１１から照射される光を拡大又は縮小できるズーム機能を有していてもよい。例えば、スプレッドレンズ１１と灯具２（光源２１又は狭角レンズ２２）との距離を調整できるズーム機構を照明器具に持たせてもよい。
【００８３】
また、図１３に示されるレンズユニット１Ａのように、スプレッドレンズ１１の回転角度を示す目盛板１４を設けてもよい。目盛板１４は、例えば支持体１３の側面に設けることができる。目盛板１４を設けることによって、スプレッドレンズ１１の回転角度によって照明光の照射形状の湾曲状態を決定することができる。
【００８４】
また、上記実施の形態に係るレンズユニット１は、図９に示すような照明器具１００のみに適用されるものではなく、様々な照明器具に適用することができる。特に、レンズユニット１は、照明演出用の照明器具に適している。
【００８５】
例えば、レンズユニット１は、図１４に示すように、光の照射方向を可変とするために灯具が２軸で回転可能なユニバーサルタイプのダウンライト１００Ａに適用することができる。ユニバーサルタイプのダウンライト１００Ａでは、灯具は、横方向に回動可能（首振り可能）であるとともに水平方向にも回転できるように枠体部に支持されている。
【００８６】
また、レンズユニット１は、図１５に示すように、スポットライト１００Ｂに適用することもできる。この場合、レンズユニット１は、製品出荷時のスポットライト１００Ｂに予め固定されていてもよいし、オプション部材としてユーザが任意に後付けできるものであってもよい。なお、図１５では、レンズユニット１は、装着していない状態を示している。
【００８７】
また、レンズユニット１は、図１６に示すように、スポットライト１０１を複数備えるシステム照明１００Ｃに適用してもよい。この場合、レンズユニット１は、複数のスポットライト１０１の各々に装着されている。
【００８８】
また、図１及び図２に示されるレンズユニット１及び灯具２によって、照明器具が実現されていてもよい。この場合、図１に示される構造のみで照明器具が構成されていてもよい。また、図１に示されるレンズユニット１及び灯具２は、他機器に取り付けられる照明ユニット等として実現されてもよい。
【００８９】
なお、その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【００９０】
１、１Ａ  レンズユニット
２、２Ａ  灯具
３  筐体
４  枠体
５  透光パネル
１０  照明光
１１  スプレッドレンズ
１１ａ  マイクロレンズ
１２  取付枠
１３  支持体
１３ａ  ビス
１４  目盛板
２１  光源
２２  狭角レンズ
２３、２３Ａ  基台
２４  筒体
２４ａ  取付部材
１００  照明器具
１００Ａ  ダウンライト
１０１、１００Ｂ  スポットライト
１００Ｃ  システム照明
２００  天井
【図１】
2018125195.tif 000003
【図２】
2018125195.tif 000004
【図３】
2018125195.tif 000005
【図４】
2018125195.tif 000006
【図５】
2018125195.tif 000007
【図６】
2018125195.tif 000008
【図７】
2018125195.tif 000009
【図８】
2018125195.tif 000010
【図９】
2018125195.tif 000011
【図１０】
2018125195.tif 000012
【図１１】
2018125195.tif 000013
【図１２】
2018125195.tif 000014
【図１３】
2018125195.tif 000015
【図１４】
2018125195.tif 000016
【図１５】
2018125195.tif 000017
【図１６】
2018125195.tif 000018